(57)【要約】【課題】簡単な構成で、対物レンズの光軸の傾きを防止し、組立ての際に発生するトラッキング方向に対する光軸のずれの調整を省略することができる光ピックアップ装置を提供すること。【解決手段】対物レンズ２１を保持するレンズホルダ２２は、被嵌合部５３を有する保持体２４に保持され、保持体２４は、ホルダ枠体２３が有する嵌合部３１に連結される。嵌合部３１および被嵌合部５３嵌合させた状態で、ねじ部材２５が嵌合部３１のねじ孔４４に螺合して、嵌合部３１および被嵌合部５３を連結するときに、被嵌合部５３に形成される支持突部２６が、嵌合部３１に当接して、回動が阻止される。これによって、対物レンズ２１の前記ねじ孔４４の軸線まわりの回動が防止されるので、光軸のずれを修正する作業を省略することができ、光ピックアップ装置２０の製造工程を簡素化することができる。【選択図】      図１
2004355755.tif 000002
【特許請求の範囲】
【請求項１】
ディスク状記録媒体の記録面に対物レンズを介して光を集束して情報を読出し、または書込む光ピックアップ装置であって、
対物レンズを保持するレンズホルダと、
ディスク状記録媒体の記録面に垂直なフォーカシング方向およびディスク状記録媒体の半径方向に平行なトラッキング方向に垂直なタンジェンシャル方向に突出して、フォーカシング方向に延び、タンジェンシャル方向に平行な軸線を有する雄ねじまたは雌ねじが形成されるねじ部を有する嵌合部を備え、レンズホルダが収容されるホルダ枠体と、
前記嵌合部に着脱自在に嵌合する被嵌合部を有し、レンズホルダをフォーカシング方向およびトラッキング方向に変位可能に保持する保持体と、
前記嵌合部のねじ部に螺合して、前記嵌合部および被嵌合部を着脱自在に連結するねじ締付手段と、
嵌合部および被嵌合部のうちいずれか一方に形成され、嵌合部および被嵌合部のうちいずれか一方が、嵌合部および被嵌合部のうちいずれか他方に嵌合した状態で、嵌合部および被嵌合部のうちいずれか他方の前記軸線まわり回動を阻止する支持突部とを含むことを特徴とする光ピックアップ装置。
【請求項２】
前記ホルダ枠体は、レンズホルダのタンジェンシャル方向の両側に設けられるヨーク部を有することを特徴とする請求項１記載の光ピックアップ装置。
【請求項３】
支持突部は、前記軸線を含む仮想一平面上で、嵌合部および被嵌合部のうちいずれか他方に面接触することを特徴とする請求項１または２記載の光ピックアップ装置。
【発明の詳細な説明】
【０００１】
【発明の属する技術分野】
本発明は、ディスク状記録媒体の記録面に対物レンズを介して光を集束して情報を読出し、または書込む光ピックアップ装置に関する。
【０００２】
【従来の技術】
図５は、第１の従来の技術の光ピックアップ装置１の一部を分解して示す斜視図である。光ピックアップ装置１では、ディスク状記録媒体の記録面に光を集光する対物レンズ２を保持するレンズホルダ３を、サスペンションワイヤ４を介してダンパベース５によって支持している。ダンパベース５は、レンズホルダ３をディスク状記録媒体の記録面に垂直なフォーカシング方向Ｆおよびディスク状記録媒体の半径方向に平行なトラッキング方向Ｔｒに移動可能に支持する。
【０００３】
ダンパベース５は、このダンパベース５を支持する基部６と相互に固定される。基部６は、嵌合部７を有し、ダンパベース５には前記基部６の嵌合部７が嵌合される被嵌合部８が形成される。前記嵌合部７は、フォーカス方向Ｆのディスク状記録媒体の記録面から離反する方向に延びる。嵌合部７は、板状体であり、その中央部には、前記フォーカシング方向Ｆおよびトラッキング方向Ｔｒに垂直なタンジェンシャル方向Ｔａに延びる軸線ｍ０を有するねじ孔９が形成される。前記ねじ孔９の軸線ｍ０は、対物レンズ２の光軸Ａ０に垂直に形成される。嵌合部７のトラッキング方向Ｔｒの両側面は、互いに平行に形成される。前記嵌合部７は、被嵌合部８に嵌合され、ねじ部材１０によって相互に固定される。
【０００４】
図６は、被嵌合部８に嵌合部７を嵌合して、これらをねじ部材１０によって相互に固定した状態を拡大して示す断面図であり、フォーカシング方向Ｆに垂直な仮想一平面での断面を示す。また図７は、被嵌合部８に嵌合部７を嵌合した状態を拡大して示す断面図であり、タンジェンシャル方向Ｔａに垂直な仮想一平面での断面を示す。
【０００５】
前記被嵌合部８は、嵌合部７にトラッキング方向Ｔｒから臨む第１および第２壁部１１，１２と、前記嵌合部８にタンジェンシャル方向Ｔａのレンズホルダ３とは反対側から臨む第３壁部１３と、前記第１および第２壁部１１，１２にそれぞれ連なり、前記嵌合部８にタンジェンシャル方向のレンズホルダ３側から臨む第４および第５壁部１４，１５を有する。第４壁部１４および第５壁部１５とは、トラッキング方向Ｔａに間隔をあけて設けられる。
【０００６】
第１〜第５壁部１１〜１５の互いに対向する面は、対物レンズ２の光軸Ａ０に平行に延びる。また第１および第２壁部１１，１２の対向する面のトラッキング方向Ｔｒの間隔は、嵌合部７のトラッキング方向Ｔｒの幅よりもわずかに大きく形成され、嵌合部７と前記第１および第２壁部１１，１２との間には、それぞれ隙間ΔＫ１，ΔＫ２が形成される。これは、被嵌合部８に嵌合部７を容易に嵌着させ、かつダンパベース８の寸法誤差を許容するためである。
【０００７】
第１壁部１１には、タンジェンシャル方向Ｔａに延びる挿通孔１６が形成される。挿通孔１６は、ダンパホルダ５のトラッキング方向Ｔｒの中央部で、かつフォーカシング方向Ｆの中央部に形成される。挿通孔１６には、タンジェンシャル方向の一方からねじ部材１０が挿通される。ねじ部材１０は、嵌合部７に形成される前記ねじ孔９に螺合される。このとき、嵌合部７の前記第１壁部１３に臨む面１７と、第１壁部１３の嵌合部７に臨む面１８とが相互に当接し、ねじ部材１０の頭部と嵌合部１８との間にダンパホルダ６を挟み込まれ、基部６とダンパベース５とが相互に固定される。
【０００８】
第２の従来の技術の光ピックアップ装置では、前述の第１の従来の技術の光ピックアップ装置と同様な構成であって、前記第１〜３壁部１１〜１３によって構成される被嵌合部を有するダンパベースのトラッキング方向Ｔｒの外方に、フレームを設ける構成が開示されている（たとえば、特許文献１）。
【０００９】
【特許文献１】
特開平１０−１８８３０８号公報
【００１０】
【発明が解決しようとする課題】
図８は、被嵌合部８に嵌合部７を嵌合して、これらをねじ部材１０によって相互に固定した状態を拡大して示す断面図であり、タンジェンシャル方向Ｔａに垂直な仮想一平面での断面を示す。図７に示すように、ダンパホルダ５の嵌合部８に基部６の嵌合部７を嵌着すると、被嵌合部８の突出部７に臨む第１壁部１１および第２壁部１２の面と、突出部７との間には間隙ΔＫ１，ΔＫ２が形成される。このような図７に示す状態で、たとえばねじ部材１０を図７の紙面に垂直な手前から見て時計方向、つまり図８の矢符Ｒ１方向に回転させ、嵌合部７と被嵌合部８とを相互に固定する場合、ねじ部材１０を締付けるトルクによって、基部６に対してダンパホルダ５がねじ部材１０の軸線ｍ０まわりに回動するという問題がある。
【００１１】
ダンパホルダ５が前記軸線ｍ０まわりに回動すると、図８に示すように対物レンズ２の光軸Ａ０が前記軸線ｍ０まわりに傾斜する。このように光軸Ａ０が傾斜すると、ディスク状記録媒体の記録面上では、トラッキング方向Ｔｒに焦点が移動してしまうので、正確なトラッキング動作を実行することが困難となってしまう。このため、ダンパホルダ５を基部６に取付けた後に、前記光軸Ａ０の傾きを調整する作業が必要となるという問題がある。
【００１２】
第２の従来の技術の光ピックアップ装置においても、ダンパホルダとこのダンパホルダのトラッキング方向の外方に設けられるフレームとの間に間隙が形成されるので、第１の従来の技術の光ピックアップ装置と同様の問題が発生する。
【００１３】
本発明の目的は、簡単な構成で、対物レンズの光軸の傾きを防止し、組立後の前記光軸の調整を省略することができる組立性の向上された光ピックアップ装置を提供することである。
【００１４】
【課題を解決するための手段】
本発明は、ディスク状記録媒体の記録面に対物レンズを介して光を集束して情報を読出し、または書込む光ピックアップ装置であって、
対物レンズを保持するレンズホルダと、
ディスク状記録媒体の記録面に垂直なフォーカシング方向およびディスク状記録媒体の半径方向に平行なトラッキング方向に垂直なタンジェンシャル方向に突出して、フォーカシング方向に延び、タンジェンシャル方向に平行な軸線を有する雄ねじまたは雌ねじが形成されるねじ部を有する嵌合部を備え、レンズホルダが収容されるホルダ枠体と、
前記嵌合部に着脱自在に嵌合する被嵌合部を有し、レンズホルダをフォーカシング方向およびトラッキング方向に変位可能に保持する保持体と、
前記嵌合部のねじ部に螺合して、前記嵌合部および被嵌合部を着脱自在に連結するねじ締付手段と、
嵌合部および被嵌合部のうちいずれか一方に形成され、嵌合部および被嵌合部のうちいずれか一方が、嵌合部および被嵌合部のうちいずれか他方に嵌合した状態で、嵌合部および被嵌合部のうちいずれか他方の前記軸線まわり回動を阻止する支持突部とを含むことを特徴とする光ピックアップ装置である。
【００１５】
本発明に従えば、対物レンズを保持するレンズホルダは、被嵌合部を有する保持体に保持され、保持体は、ホルダ枠体が有する嵌合部に連結される。嵌合部および被嵌合部のうちいずれか一方を、嵌合部および被嵌合部のうちいずれか他方に嵌合させた状態で、ねじ締付手段が嵌合部のねじ部に螺合して、嵌合部および被嵌合部を着脱自在に連結するときに、嵌合部および被嵌合部のうちいずれか一方に形成される支持突部が、嵌合部および被嵌合部のいずれか他方の回動を阻止する。
【００１６】
したがって、ねじ締付手段の軸線方向への回転に伴うホルダ枠体と保持体との相対位置が変位することが防止される。これによって保持体に保持されるレンズホルダに保持される対物レンズの前記ねじ部の軸線まわりの回動が防止され、ホルダ枠体に対する対物レンズの相対位置を正確に位置決めすることができる。このように本発明では、前記従来の技術のように光軸がトラッキング方向にずれてしまうことが防がれるので、光軸のずれを修正する作業を省略することができ、組立性が向上され、光ピックアップ装置の製造工程を簡素化することができる。
【００１７】
また本発明は、前記ホルダ枠体は、レンズホルダのタンジェンシャル方向の両側に設けられるヨーク部を有することを特徴とする。
【００１８】
本発明に従えば、ホルダ枠体には、レンズホルダのタンジェンシャル方向両側に設けられるヨーク部が設けられる。ホルダ枠体に対して、レンズホルダを正確に位置決めすることができるので、ヨーク部に対してレンズホルダの位置を望ましい領域に配置することができる。これによって、たとえば、レンズホルダにコイルをトラッキング制御のためのコイルおよびフォーカシング制御のためのコイルを設け、ヨーク部とともに駆動回路を形成する場合、レンズホルダの移動量のバラツキを無くすことができ、トラッキング制御およびフォーカシング制御を精度よく行うことができる。したがって、光ピックアップ装置において、高い読取り精度および書込み精度を確保することができる。
【００１９】
また本発明は、支持突部は、前記軸線を含む仮想一平面上で、嵌合部および被嵌合部のうちいずれか他方に面接触することを特徴とする。
【００２０】
本発明に従えば、軸線を含む仮想一平面で、嵌合部および被嵌合部のうちのいずれか一方に形成される支持突部は、嵌合部および被嵌合部のうちのいずれか他方と面接触する。したがって支持突部は、ねじ締付手段の軸線まわりの回転によって発生するトルクに対して、嵌合部および被嵌合部のうちのいずれか他方をより大きな強度で支持することができる。前記ねじ部の雄ねじまたは雌ねじの軸線を含む仮想一平面上では、この仮想一平面に垂直な方向にねじ締付手段が軸線まわりに回転することによって発生する回転力が加わるので、ねじ締付手段の軸線まわりの回転に伴うホルダ枠体および保持体の相対位置の変位をより確実に防止することができる。
【００２１】
【発明の実施の形態】
図１は、本発明の実施の一形態の光ピックアップ装置２０の一部を拡大して示す断面図であり、図２は、光ピックアップ装置２０の一部を分解して示す斜視図である。光ピックアップ装置２０は、ディスク状記録媒体の記録面に対物レンズ２１を介して光を集束して情報を読出し、または書込む。前記ディスク状記録媒体には、たとえばコンパクトディスク（Ｃｏｍｐａｃｔ  Ｄｉｓｋ；略称ＣＤ）およびデジタルバーサタイルディスク（Ｄｉｇｉｔａｌ  Ｖｅｒｓａｔｉｌｅ  Ｄｉｓｋ；略称ＤＶＤ）などの光学的に読取りあるいは書込み可能な記録媒体が含まれる。
【００２２】
光ピックアップ装置２０は、対物レンズ２１と、レンズホルダ２２と、ホルダ枠体２３と、保持体２４と、ねじ部材２５と、支持突部２６とを含む。対物レンズ２１は、凸レンズであり、その光軸Ａ１がディスク状記録媒体の回転軸に平行に設けられる。対物レンズ２１は、レンズホルダ２２に保持される。対物レンズ２１の光軸Ａ１の延びる方向の一方には、ディスク状記録媒体が装着される領域が設けられる。対物レンズ２１の光軸Ａ１の延びる方向は、ディスク状記録媒体が装着された状態で、このディスク状記録媒体に近接および離反する方向、つまりディスク状記録媒体の記録面に垂直なフォーカシング方向Ｆと平行である。
【００２３】
本実施の形態では、フォーカシング方向Ｆの一方であり、対物レンズ２１がディスク状記録媒体が装着される領域に近接する方向を上方とし、フォーカシング方向Ｆの他方であり、対物レンズ２１がディスク状記録媒体から離反する方向を下方として説明する。
【００２４】
レンズホルダ２２は、前記対物レンズ２１を保持する。対物レンズ２１は、レンズホルダ２２の上部、つまりフォーカシング方向Ｆの一端部の中央部に設けられる。対物レンズ２１は、レンズホルダ２２のフォーカシング方向Ｆの一端部から一部が突出して設けられる。レンズホルダ２２は、略直方体状に形成される。対物レンズ２１のフォーカシング方向Ｆの他方側には、フォーカシング方向Ｆにレンズホルダ２２を貫通する貫通孔が形成される。これによってレンズホルダ２２は、フォーカシング方向Ｆの光を通過させることができる。レンズホルダ２２は、合成樹脂などによって形成され、剛性を有する。
【００２５】
レンズホルダ２２には、レンズホルダ２２をフォーカシング方向Ｆに変位させるための駆動回路の一部を構成するフォーカシング駆動コイルが、対物レンズ２１の光軸Ａ１まわりに巻回される。またレンズホルダ２２には、レンズホルダ２２をトラッキング方向Ｔｒに変位させるための駆動回路の一部を構成するトラッキング駆動コイルが、対物レンズ２１のディスク状記録媒体の半径方向に平行なトラッキング方向Ｔｒの両側で、このトラッキング方向Ｔｒに平行な軸線まわりに巻回される。
【００２６】
ホルダ枠体２３は、レンズホルダ２２を収容する。ホルダ枠体２３は、ホルダ基部３０と、嵌合部３１と、ヨーク部３２と、ホルダ側壁部３３とを有する。ホルダ基部３０、嵌合部３１、ヨーク部３２およびホルダ側壁部３３は、たとえば鋼鉄などの強磁性および剛性を有する材料によって一体的に形成される。
【００２７】
ホルダ基部３０は、レンズホルダ２２のディスク状記録媒体に臨む側に設けられ、中央部に開口３４が形成される。ホルダ基部３０は、対物レンズ２１の軸線Ａ１に垂直な仮想一平面に沿って設けられる。前記開口３４は、対物レンズ２１の径よりも大きく形成され、前記開口３４を介して対物レンズ２１からの光がディスク状記録媒体に集光される。ホルダ基部３０は、略平坦状に形成され、開口３４の近傍にフォーカシング方向Ｆの一方に突出するホルダ突出片３５が形成される。ホルダ突出片３５が形成されることによって、レンズホルダ２２がフォーカシング方向Ｆの一方、つまり上方に移動したときに、対物レンズ２１が開口３４から突出してディスク状記録媒体に接触することを防止することができ、対物レンズ２１の損傷を防止することができる。
【００２８】
嵌合部３１は、ホルダ基部３０からタンジェンシャル方向Ｔａに突出して、フォーカシング方向Ｆに延びる。嵌合部３１は、連結部４０と、第１嵌合部分４１と、第２嵌合部分４２とを有する。嵌合部３１には、ディスク状記録媒体が配置される側、つまり図１の上方に臨んで開口する凹所４３が形成される。嵌合部３１は、凹所４３に関してトラッキング方向Ｔｒの両側に一対の連結部４０を有し、これら連結部４０は、図１の紙面に垂直なタンジェンシャル方向Ｔａの他方に屈曲して平坦状のホルダ基部３０に一体的に連なる。
【００２９】
第１嵌合部分４１は、連結部４０の下方、つまりフォーカシング方向Ｆの他方に連なる。第１嵌合部分４１の下方には、第１嵌合部分４１のトラッキング方向Ｔｒに沿う幅Ｗ１よりも小さな幅Ｗ２を有する第２嵌合部分４２が連なる。前記Ｗ１およびＷ２は、ホルダ枠体２３のトラッキング方向Ｔｒに沿う幅よりも小さく選ばれる。
【００３０】
第１嵌合部分４１および第２嵌合部分４２の連なる領域には、雌ねじが形成されるねじ部が設けられ、つまり内周面に内ねじが刻設されたねじ孔４４が形成される。このねじ孔４４の軸線ｍ１は、タンジェンシャル方向Ｔａに平行であって、前記第１嵌合部分４１のトラッキング方向Ｔｒに沿う幅Ｗ１、および第２嵌合部分４２のトラッキング方向Ｔｒに沿う幅Ｗ２に対して、それぞれ１／２となる中央部に形成される。つまり嵌合部３１は、前記タンジェンシャル方向Ｔａに延びるねじ孔４４の軸線ｍ１を含み、かつトラッキング方向Ｔｒに垂直な仮想一平面４５に関して面対称に形成され、図１の紙面に垂直手前から見て、略凹状に形成される。
【００３１】
第１嵌合部分４１および第２嵌合部分４２のトラッキング方向Ｔｒの両端面は、ねじ孔４４の軸線ｍ１を含み、かつトラッキング方向Ｔｒに垂直な仮想一平面４５に平行に形成される。また第１嵌合部分４１のフォーカシング方向Ｆの他端面、つまり下端面４１Ａは、ねじ孔４４の軸線ｍ１を含み、フォーカシング方向Ｆに垂直な仮想一平面に含まれる。
【００３２】
第２嵌合部分４２の第１嵌合部分４１に連なる付け根の部分には、第１嵌合部分４１内に切欠かれる切欠き４８が形成される。切欠き４８を形成することによって、第１嵌合部分４１の下端面４１Ａと、第２嵌合部分４２のトラッキング方向Ｔｒの端面とが連なる部分を直角に形成する必要がないので、前記下端面４１Ａを平面に加工する精度を向上させることができる。
【００３３】
ヨーク部３２は、ホルダ基部３０から前記ディスク状記録媒体の配置される領域とは反対側、つまりフォーカシング方向Ｆの他方に突出し、レンズホルダ２２のタンジェンシャル方向Ｔａの両側に設けられる。ヨーク部３２は、レンズホルダ２２のタンジェンシャル方向Ｔａの側面をそれぞれ覆う。前述したようにホルダ枠体２３は、強磁性を有する材料によって一体的に形成されるので、ヨーク部３２は強磁性を有することとなる。一対のヨーク部３２のそれぞれが対向する側には、それぞれのヨーク部３２に密接して、レンズホルダ２２との間に直方体状の永久磁石４６がそれぞれ設けられる。永久磁石４６とレンズホルダ２２とは、予め定める間隔をあけて設けられる。
【００３４】
ヨーク部３２および永久磁石４６は、前記ねじ孔４４の軸線ｍ１を含み、かつトラッキング方向Ｔｒに垂直な仮想一平面４５に関して面対称に形成される。ヨーク部３２および永久磁石４６は、前記フォーカシング駆動コイルおよびトラッキング駆動コイルとともに、レンズホルダ２２をフォーカシング方向Ｆおよびトラッキング方向Ｔｒに移動させるための駆動回路を構成する。
【００３５】
タンジェンシャル方向Ｔａの他方に配置されるヨーク部３２には、下端部つまりフォーカシング方向Ｆの他端部から、タンジェンシャル方向Ｔａの他方に突出する枠体固定部４７が設けられる。枠体固定部４７には、フォーカシング方向Ｆに挿通する挿通孔が形成される。
【００３６】
ホルダ側壁部３３は、ホルダ基部３０のトラッキング方向Ｔｒの両端部から屈曲して、下方つまりフォーカシング方向Ｆの他方に突出する。ホルダ側壁部３３は、レンズホルダ２２のトラッキング方向Ｔｒの両端部に所定の間隔をあけて設けられる。ホルダ側壁部３３を設けることによって、レンズホルダ２２のトラッキング方向Ｔｒの移動範囲を規制することができる。これによって、光ピックアップ装置２０が外部から衝撃を受けたときに、レンズホルダ２２がトラッキング方向Ｔｒに必要以上に移動してしまうことが防止される。
【００３７】
ホルダ枠体２３のホルダ基部２３、ヨーク部３２およびホルダ側壁部３３に囲まれる領域は、フォーカシング方向Ｆの下方に開放しており、レンズホルダ２２を下方から前記領域に収容することができる。
【００３８】
保持体２４は、レンズホルダ２２をフォーカシング方向Ｆおよびトラッキング方向Ｔｒに変位可能に保持する。保持体２４は、弾性保持部５０と、保持基部５１とを含む。弾性保持部５０は、棒状部材であって、弾発性および導電性を有する４本の弾性部材５２を含む。レンズホルダ２２のトラッキング方向Ｔｒの両端部には、フォーカシング方向Ｆおよびトラッキング方向Ｔｒに互いに垂直なタンジェンシャル方向Ｔａに延びる弾性部材５２の端部がそれぞれ連結される。
【００３９】
弾性部材５２は、トラッキング方向Ｔｒの両端部３１に、フォーカシング方向Ｆに間隔をあけて２本ずつ設けられる。弾性部材５２は、はんだなどによってレンズホルダ２２に物理的に接続されるとともに、前記トラッキング駆動コイルまたはフォーカシング駆動コイルに電気的に接続される。たとえば第１の弾性部材５２ａは、前記フォーカシング駆動コイルの一端部と相互に電気的に接続され、第３の弾性部材５２ｂは、前記フォーカシング駆動コイルの他端部と相互に電気的に接続される。またたとえば、第３の弾性部材５２ｃは、前記トラッキング駆動コイルの他端部と相互に電気的に接続され、第４の弾性部材５２ｄは、前記トラッキング駆動コイルの他端部と相互に電気的に接続される。したがって、弾性保持部５０を介して、レンズホルダ２２に設けられるフォーカシング駆動コイルおよびトラッキング駆動コイルに所定の信号を与える、つまり所定の電流を与えることができ、これによって、レンズホルダ２２をフォーカシング方向Ｆおよびトラッキング方向Ｔｒに移動させることができる。
【００４０】
弾性部材５２のタンジェンシャル方向Ｔａの一端部は、保持基部５１に接続され、レンズホルダ２２は弾性保持部５０を介して、保持基部５１に保持される。保持基部５１は、電気絶縁性材料によって形成される。
【００４１】
保持基部５１は、前記ホルダ枠体２３の嵌合部３１に着脱自在に嵌合する被嵌合部５３を有する。被嵌合部５３には、保持基部５１のフォーカシング方向Ｆに延びる嵌合孔５４が形成される。保持基部５１は、トラッキング方向Ｔｒに間隔をあけて設けられ、弾性保持部５０の一端部が接続される一対の接続部５５と、この接続部５５間を連結する第１連結部５６および第２連結部５７とを有する。
【００４２】
第１連結部５６と、第２連結部５７とは、タンジェンシャル方向Ｔａに予め定める間隙をあけて設けられる。第２連結部５７は、第１連結部５６とレンズホルダ２２との間に設けられる。前記接続部５５と第１および第２連結部５６，５７とによって囲まれる領域が前記嵌合孔５４となる。嵌合孔５４のトラッキング方向Ｔｒおよびタンジェンシャル方向Ｔａで互いに対向する内面は平行に形成され、かつフォーカシング方向Ｆに沿って延びる。この嵌合孔５４に、ホルダ枠体２３の嵌合部３１が嵌着される。
【００４３】
前記嵌合孔５４に嵌合部３１が嵌着された状態で、嵌合孔３１のトラッキング方向Ｔｒの各内周面５９と、第１嵌合部分４１との間にはそれぞれ間隙ΔＬ１およびΔＬ２が形成される。前記ΔＬ１およびΔＬ２は、たとえば０．０１〜０．０５ｍｍに選ばれる。
【００４４】
第１連結部５６には、トラッキング方向Ｔｒの中央部に、タンジェンシャル方向Ｔａに貫通する貫通孔５８が形成される。貫通孔５８は、嵌合孔５４にホルダ枠体２３の嵌合部３１が嵌着された状態で、前記嵌合部３１に形成されるねじ孔４４に連なる。前記貫通孔５８は、保持基部５１のフォーカシング方向Ｆの中央よりも下方に形成される。
【００４５】
ねじ部材２５は、ねじ締結手段であって、前記嵌合部３１のねじ孔４４に螺合して、前記嵌合部３１および被嵌合部５３を着脱自在に連結する。ねじ部材２５は、ねじ孔４４に螺合する雄ねじ形成部６１と、前記雄ねじ形成部６１よりも大きな径を有する頭部６２とを有する。頭部６２には、ドライバなどの締付具を係合する係合部６３が形成される。頭部６２の直径は、前記貫通孔５８の直径よりも大きく選ばれる。
【００４６】
ねじ部材２５の雄ねじ形成部６１を前記貫通孔５８を挿通させて、前記ねじ孔４４に螺着し、係合部６３に締付具を係合して一方向に回転させることによって頭部６２は、保持体２４に近接する方向に螺進し、前記嵌合部３１と前記頭部６２との間に支持体２４の第１連結部５６を挟み込む。これによって、ホルダ枠体２３と保持体２４とが相互に連結される。前記前記締付工具を前記一方向とは逆の他方向に回転させることによって、保持体２４から離反する方向に螺退させることができ、ホルダ枠体２３と保持体２４とを分離させることができる。前記ねじ孔４４の軸線ｍ１と、前記光軸Ａ１とは、直交する。
【００４７】
支持突部２６は、被嵌合部５３に形成され、嵌合部３１と被嵌合部５３とが嵌合した状態で、被嵌合部５３に対する嵌合部３１のねじ孔４４の軸線ｍ１まわり回動を阻止する。支持突部２６は、前記被嵌合部５３のトラッキング方向Ｔｒに対向する内周面５９から、この内周面５９に垂直であって、相互に近接する方向に突出する。支持突部２６は、前記ねじ孔４４の軸線ｍ１から離反した位置に設けられる。
【００４８】
各支持突部２６の遊端部６５は、相互に対向し、前記第２嵌合部分４２に臨む第２内周面６６が形成される。第２内周面６６は、互いに平行に形成され、かつフォーカシング方向Ｆに沿って延びる。前記第２内周面６６は、第２嵌合部分４２に対向し、第２内周面６６と第２嵌合部分４２との間にはそれぞれ間隙ΔＬ３およびΔＬ４が形成される。前記ΔＬ３およびΔＬ４は、たとえば０．１〜０．２ｍｍに選ばれる。各支持突部２６の上端面２４Ａ、つまりトラッキング方向Ｆの一端面は、フォーカシング方向Ｆに垂直な仮想一平面に含まれる。
【００４９】
嵌合部３１が、被嵌合部５３の嵌合孔５４に嵌着された状態で、各支持突部２６のディスク状記録媒体に臨む上方には、第１嵌合部分４１の下端部６７が支持される。したがって、前記ねじ部材２５を貫通孔５８に挿通して、ねじ孔４４に螺着した状態で、締付け方向Ｒ１まわりに締付けても、締め付け方向Ｒ１の下流側に配置される支持突部２６によって、下端部６７が支持され、嵌合部３１の締付け方向Ａまわりの回動が阻止される。
【００５０】
したがって、前記従来の技術の光ピックアップ装置のように光軸がトラッキング方向Ｔｒに傾いてしまうことが防がれる。これによって対物レンズ２１の光軸Ａ１のずれを修正する作業を省略することができ、組立性が向上され、光ピックアップ装置２０の製造工程を簡素化することができる。
【００５１】
また前述したように、第２嵌合部分４２の付け根の部分は、第１嵌合部分４１内に切欠かれているので、第１嵌合部分４１の下端面４１Ａを平面に精度よく形成することができ、これによって、第１嵌合部分４１と、支持突部２６とを確実に面接触させることができる。
【００５２】
前述した嵌合部３１と支持突部２４とは、ねじ部材２５の軸線を含む仮想一平面上で面接触する。したがって支持突部６２は、ねじ部材２５の軸線まわりの回転によって発生するトルクに対して、嵌合部３１をより大きな強度で支持することができる。前記ねじ孔４４の軸線ｍ１を含む仮想一平面上では、この仮想一平面に垂直な方向に回転力が加わるので、ねじ部材２５の軸線まわりの回転に伴うホルダ枠体２３および保持体２４の相対位置の変位をより確実に防止することができる。
【００５３】
さらに第１嵌合部４１および第２嵌合部４２の下部に形成される角部は、予め定める曲率を有する。これによって、嵌合部３１を嵌合孔５４に嵌着するときに、不要な接触が防止され、スムーズに嵌め入れることができる。
【００５４】
前記貫通孔５７は、ねじ部材２５の雄ねじ形成部６１の径よりも大きな径を有するように形成される。これによって貫通孔５７とねじ部材２５とによって嵌合部３１と被嵌合部５３とが位置決めされることがなく、支持突部２６に嵌合部３１を当接させた状態でねじ部材２５を螺合することができ、軸線ｍ１まわりの保持体２４の回転を確実に防止することができる。
【００５５】
またホルダ枠体２３の下方からレンズホルダ２２を収容することができ、また嵌合部３１は、被嵌合部５３の上方から嵌合するので、レンズホルダ２２を保持体２４の保持させた状態で、保持体２４とホルダ枠体２３とを連結することができる。これによって、まずレンズホルダ２２と保持基部５１とを弾性保持部５０によって相互に接続することができるので、ホルダ枠体２３と保持基部５１とを接続した後にレンズホルダ２２と保持基部５１とを接続する場合と比較して、保持基部５１とレンズホルダ２２との相対位置を精度よく決定することができる。
【００５６】
またねじ部材２６のトラッキング方向Ｔｒの両側で、嵌合部３１と支持突部２６とが当接するので、保持基部５１とホルダ枠体２３との相対位置を精度よく決定することができる。これによって前記嵌合部３１と支持突部２６とを当接させた状態で、ねじ部材２５を螺合すると、嵌合部３１に対する支持突部２６の相対位置を調整しなくても、精度よく組み立てることができる。
【００５７】
また前記嵌合部３１と支持突部２４とは、ねじ部材２６のトラッキング方向Ｔｒの両側で、同一の仮想一平面上で当接する。これによって、ねじ部材２６のトラッキング方向Ｔｒの両側において、異なる仮想一平面上で嵌合部３１と支持突部２４とが当接する場合と比較して、安定した位置決めを実現することができる。嵌合部３１と支持突部２６とを２つの異なる仮想一平面上で接触させる場合には、これらの仮想一平面上で当接させるために嵌合部３１と支持突部２６とに前記２つの仮想一平面に沿う面を形成する必要があり、このような面を形成するためには、より高い加工精度が要求される。しかしながら、嵌合部３１と支持突部２６とを１つの仮想一平面上で接触させることによって、簡単な構成で、精度の高い位置決めを実現することができる。
【００５８】
またホルダ枠体２３に対して、レンズホルダ２２を正確に位置決めすることができるので、ヨーク部３２に関してレンズホルダ２２の位置を望ましい領域、つまり一対のヨーク部３２間の中央部に正確に配置することができる。これによって、レンズホルダ２２を駆動回路によって移動させる場合に、移動量のバラツキを無くすことができ、トラッキング制御およびフォーカシング制御を精度よく行うことができる。したがって光ピックアップ装置において、高い読取り精度および書込み精度を確保することができる。
【００５９】
図３は、光ピックアップ装置２０の全体の構成を概略的に示す断面図である。光ピックアップ装置２０は、前述した対物レンズ２１、レンズホルダ２２、ホルダ枠体２３、保持体２４、ねじ部材２５および支持突部２６に加えて、反射ミラー８１と、光学モジュール８２と、ホルダ枠体２３、反射ミラー８１および光学モジュール８２を固定する光ピックアップシャーシ８３とを含む。
【００６０】
反射ミラー８１は、対物レンズ２１のフォーカシング方向Ｆの他方、つまり下方に位置し、光学モジュール８２が発するレーザ光を対物レンズ２１に向けて反射し、ディスク状記録媒体によって反射され、対物レンズ２１を介して照射される反射レーザ光を光学モジュール８２に反射する。反射ミラー８１は、レーザ光の向きを９０°変更する。
【００６１】
光学モジュール８２は、発光素子である半導体レーザ素子８４と、受光素子８５と、半導体レーザ素子８５から発するレーザ光と、ディスク状記録媒体で反射された反射レーザ光とを分離するビームスプリッタ８６を含んで構成される。
【００６２】
対物レンズ２１は、光学モジュール８２から照射され、反射ミラー８１によって反射されたレーザ光をフォーカシング方向一方側に設けられるディスク状記録媒体が装着される領域に配置されるディスク状記録媒体の記録面に集光し、またディスク状記録媒体の記録面で反射したレーザ光を反射ミラー８１に照射する。
【００６３】
光ピックアップシャーシ８３は、ホルダ枠体２３、反射ミラー８１および光学モジュール８２を保持する。光ピックアップシャーシ８３のタンジェンシャル方向Ｔａの一端部８７には、ホルダ枠体２３を固定する固定部８８が設けられる。固定部８８の上部には、ねじ孔が形成される。このねじ孔に、前述したホルダ枠体２３の枠体固定部４７に設けられる貫通孔を挿通して、固定ねじ部材８９などが螺着されて、光ピックアップシャーシ８３とホルダ枠体２３とが相互に固定される。
【００６４】
光ピックアップシャーシ８３のタンジェンシャル方向Ｔａの一端部には、光ピックアップシャーシ８３をトラッキング方向Ｔｒに平行な方向であって、図３の紙面に垂直な方向に移動させるための内ねじ９１が形成される。また、光ピックアップシャーシ８３のタンジェンシャル方向Ｔａの他端部には、トラッキング方向Ｔｒに平行な方向であって、図３の紙面に垂直な方向に延びる係合部９２が形成される。
【００６５】
前記内ねじ９１には、送りねじ部材が螺着され、係合部９２には、支持部材が係合される。光ピックアップシャーシ８３は、図示しないモータなどの駆動装置によって、前記送りねじ部材を軸線まわりに回転させ、内ねじ９１に対して螺進または螺退させることによって、ディスク状記録媒体の半径方向に移動される。これによって光ピックアップ装置２０は、対物レンズ２１を介してレーザ光を集光して、対物レンズ２１をディスク状記録媒体の半径方向に平行なトラッキング方向に走査して情報を読出し、または書込むことができる。
【００６６】
図４は、本発明の実施の他の形態の光ピックアップ装置１００の一部の構成を分解して示す斜視図である。本実施の形態の光ピックアップ装置１００は、前述した実施の形態の光ピックアップ装置２０と同様な構成を有し、同様の部分には同一の参照符号を付して、重複する部分の説明を省略する。本実施の形態の光ピックアップ装置１００と、前記実施の形態の光ピックアップ装置２０とでは、ホルダ枠体２３と保持体２４とを連結する部分の構造のみが異なる。
【００６７】
光ピックアップ装置１００では、ホルダ枠体２３の嵌合部３１の第１嵌合部分４１および第２嵌合部分４２の連なる領域には、前述したねじ孔４４の代わりに雄ねじが形成されるねじ部１０１が設けられる。ねじ部材１０１は、嵌合部３１からタンジェンシャル方向Ｔａの一方に突出する。このねじ部材１０１は、その軸線ｍ２が、タンジェンシャル方向Ｔａに平行であって、前記第１嵌合部分４１のトラッキング方向Ｔｒに沿う幅Ｗ１、および第２嵌合部分４２のトラッキング方向Ｔｒに沿う幅Ｌ２に対して、それぞれ１／２となる中央部に形成される。
【００６８】
保持基部５１の第１連結部５６には、前述した貫通孔５８の代わりに、ダンジェンシャル方向に第１連結部５６を貫通する溝孔１０２が形成される。溝孔１０２は、第１連結部５６のトラッキング方向Ｔｒの中央部に形成され、上方つまりフォーカシング方向Ｆの一方に開放する。嵌合部３１と被嵌合部５３とが嵌着させるとき、前記ねじ部１０１は、フォーカシング方向Ｆの一方から他方に溝孔１０２を移動し、溝孔１０２に臨む第１連結部５６に当接する。
【００６９】
本実施の形態の光ピックアップ装置１００では、ねじ締付手段であるナット部材１０３を含む。ナット部材１０３は、前記ねじ部１０１に螺合して、前記嵌合部３１および被嵌合部５３を着脱自在に連結する。ナット部材１０３は、たとえば軸線まわりの外形が正Ｎ角形状（Ｎは３以上の整数）を有し、内周面に内ねじである雌ねじが螺設されて形成される。ナット部材１０３の外接円の直径は、前記溝孔１０２のトラッキング方向Ｔｒの幅よりも大きく選ばれる。前記嵌合部３１と被嵌合部５３とを嵌合させた状態で、ネット部材１０３をねじ部１０１に螺合する。
【００７０】
このような構成の光ピックアップ装置１００では、前述の光ピックアップ装置２０と同様な効果を達成することができる。
【００７１】
前述した各実施の形態では、被嵌合部に支持突部が形成されるが、本発明の実施の他の形態において、嵌合部に支持突部が形成される構成であってもよく、このような構成であっても同様の効果を達成することができる。
【００７２】
【発明の効果】
以上のように本発明によれば、ねじ締付手段の軸線まわりの回転動作に伴い、レンズホルダ枠体と保持体の相対位置が変位することが防止されるので、保持体に保持されるレンズホルダに保持される対物レンズの前記軸線まわりの回動が防止される。このように本発明では、前記従来の技術のように光軸がトラッキング方向にずれてしまうことが防がれるので、光軸のずれを修正する作業を省略することができ、組立性が向上され、光ピックアップ装置の製造工程を簡素化することができる。
【００７３】
また本発明によれば、ホルダ枠体には、レンズホルダのタンジェンシャル方向両側に設けられるヨーク部が設けられる。ホルダ枠体に対して、レンズホルダを正確に位置決めすることができるので、ヨーク部に対してレンズホルダの位置を望ましい領域に配置することができる。これによって、たとえば、レンズホルダにコイルをトラッキング制御のためのコイルおよびフォーカシング制御のためのコイルを設け、ヨーク部とともに駆動回路を形成する場合、レンズホルダの移動量のバラツキを無くすことができ、トラッキング制御およびフォーカシング制御を精度よく行うことができる。したがって、高い読取り精度および書込み精度を確保することができる。
【００７４】
また本発明によれば、軸線を含む仮想一平面で、支持突部は、嵌合部または被嵌合部が面接触する。したがって支持突部は、ねじ締付手段の軸線まわりの回転によって発生するトルクに対して、嵌合部および被嵌合部のうちのいずれか他方をより大きな強度で支持することができる。前記ねじ部の雄ねじまたは雌ねじの軸線を含む仮想一平面上では、この仮想一平面に垂直な方向にねじ締付手段によって発生する回転力が加わるので、ねじ締付手段の軸線まわりの回転に伴うホルダ枠体および保持体の相対位置の変位をより確実に防止することができる。
【図面の簡単な説明】
【図１】本発明の実施の一形態の光ピックアップ装置２０の一部を拡大して示す断面図である。
【図２】光ピックアップ装置２０の一部を分解して示す斜視図である。
【図３】光ピックアップ装置２０の全体の構成を概略的に示す断面図である。
【図４】本発明の実施の他の形態の光ピックアップ装置１００の一部の構成を分解して示す斜視図である。
【図５】第１の従来の技術の光ピックアップ装置１の一部を分解して示す斜視図である。
【図６】被嵌合部８に嵌合部７を嵌合して、これらをねじ部材１０によって相互に固定した状態を拡大して示す断面図である。
【図７】被嵌合部８に嵌合部７を嵌合した状態を拡大して示す断面図である。
【図８】被嵌合部８に嵌合部７を嵌合して、これらをねじ部材１０によって相互に固定した状態を拡大して示す断面図である。
【符号の説明】
２０，１００  光ピックアップ装置
２１  対物レンズ
２２  レンズホルダ
２３  ホルダ枠体
２４  保持体
２５  ねじ部材
２６  支持突部
３２  ヨーク部
【図１】
2004355755.tif 000003
【図２】
2004355755.tif 000004
【図３】
2004355755.tif 000005
【図４】
2004355755.tif 000006
【図５】
2004355755.tif 000007
【図６】
2004355755.tif 000008
【図７】
2004355755.tif 000009
【図８】
2004355755.tif 000010